(57)【要約】本発明は、掘削土や浚渫土等の取扱いや運搬等が困難な建設残土等の排泥処理に関する。【課題】建設工事等に伴い発生する、掘削土や浚渫土等の排泥処理困難土の簡便な性状改質方法を提案し、取扱いや運搬等を容易にする。【解決手段】上記建設工事等に伴い発生する、掘削土や浚渫土等の排泥処理困難土において、高粘性土は加水してスラリー状にする。また、高含水率土はそのままの性状で、微細に粉砕された粉体化紙オムツと、その後の含水状況如何では吸水ポリマーを添加及び攪拌することにより、該排泥処理困難土が、適度に結合及び細粒化した性状に改質されるので取扱いや運搬等が容易になる。【選択図】  なし【特許請求の範囲】
【請求項１】
スラリー状の排泥処理困難土に対して微細に粉砕された紙オムツを添加及び攪拌することにより細粒化土を得ることを特徴とする排泥処理方法。
【請求項２】
低含水率の排泥処理困難土に対して、加水処理によりスラリー状とした後、微細に粉砕された紙オムツを添加及び攪拌することにより細粒化土を得ることを特徴とする排泥処理方法。
【請求項３】
上記微細に粉砕された紙オムツを添加及び攪拌した後に、吸水ポリマーを添加及び攪拌することを特徴とする請求項１又は２に記載の排泥処理方法。
【請求項４】
上記排泥処理困難土１ｍ３に対して、上記微細に粉砕された紙オムツ１０〜５０ｋｇを添加及び攪拌することを特徴とする請求項１乃至３いずれかに記載の排泥処理方法。
【請求項５】
上記排泥処理困難土１ｍ３に対して、上記吸水ポリマー３ｋｇ未満を添加及び攪拌することを特徴とする請求項３に記載の排泥処理方法。
【請求項６】
上記請求項１乃至３いずれかにより得られた細粒化土を植物生育基盤として再利用することを特徴とする排泥処理方法。
【請求項７】
上記排泥処理困難土が有害物質を含有し高含水率であることを特徴とする請求項１又は３に記載の排泥処理方法。
【発明の詳細な説明】
【０００１】
【発明の属する技術分野】
本発明は、建設工事等に伴い発生する掘削土や浚渫土、脱水ケーキ等の、排泥処理困難土に対して、その困難を解消し取扱いや運搬等を容易にする方法に関する。
【０００２】
【従来の技術】
従来の技術では、天日乾燥や機械脱水をしたり、セメント系や生石灰固化剤等により排泥処理困難土の含水率を低下させ適度に細粒化させることで取扱い等を容易にしてきた。また、植物性繊維又は合成繊維等を添加する方法もあった。（特許文献１〜５参照）
【０００３】
【特許文献１】
特開２００２−１１２６２９号公報
【特許文献２】
特開２００２−３０６５２号公報
【特許文献３】
特開平７−２８４８００号公報
【特許文献４】
特開平７−２６８８７５号公報
【特許文献５】
特開平５−３４６０１８号公報
【０００４】
【発明が解決しようとする課題】
建設工事等に伴い発生する掘削土や浚渫土等の排泥処理困難土は、一般に中小礫が混在している。該排泥処理困難土が高粘性あるいは団子状であるために、該排泥処理困難土中の土と中小礫との分離が困難である。また、高含水率の土砂等の排泥処理困難土は軟弱で流動性が高く仮置きや運搬が困難である等の問題がある。
【０００５】
天日乾燥等を用いる方法では、広大な土地を必要とする。処理に長時間を要する。大型機械設備が必要であるため高コストになる等の課題がある。
特許文献１では、添加量（５０〜２００ｋｇ／ｍ３）が多いという問題もある。
【０００６】
固化剤等を用いる方法では、排泥処理困難土が強アルカリ性を示す。また、降雨などにより、一旦処理した排泥処理困難土が再度水分を含んで汚泥化し流出する等、環境の観点から取扱いや廃棄、再利用が困難である等の課題がある。
【０００７】
ここで本発明で使用する紙オムツについて触れる。本発明で使用する紙オムツは製造過程において発生したキズや形状不良、衛生上の問題を有する所謂不良品である。大手メーカーの１社でも相当量の不良品が発生している。これらの多くは産業廃棄物として処分され、これらの一部は燃料として使用されている程度である。石油資源を含めた多くの資源が採取できない我が国は、そのほとんど全てを輸入に依存せざるを得ない現状にある。有限資源を無駄なく効果的に活用することは、将来的な資源枯渇問題の観点からも最重要課題の１つである。
【０００８】
本発明は上記難点を解消するための提案である。建設工事等に伴い発生する掘削残土等の排泥処理困難土を、上記紙オムツの廃棄物を利用して適度に結合及び細粒化した性状に改質することにより、取扱いや運搬、再利用を容易にする方法を提供するものである。
【０００９】
【課題を解決するための手段】
本発明は、排泥処理困難土に対して微細に粉砕された紙オムツを添加及び攪拌することで細粒化土を得ることを特徴とする。
低含水率の排泥処理困難土に対して、加水処理後、微細に粉砕された紙オムツを添加及び攪拌することにより細粒化土を得ることを特徴とする。
上記排泥処理困難土に対して上記微細に粉砕された紙オムツを添加及び攪拌した後に、吸水ポリマーを添加及び攪拌することを特徴とする。
上記排泥処理困難土１ｍ３に対して、上記微細に粉砕された紙オムツ１０〜５０ｋｇを添加及び攪拌することを特徴とする。
上記排泥処理困難土１ｍ３に対して、上記吸水ポリマー３ｋｇ未満を添加及び攪拌することを特徴とする。
得られた細粒化土を植物生育基盤として再利用することを特徴とする。
上記排泥処理困難土が有害物質を含有し高含水率であることを特徴とする。
【００１０】
【発明の実施の形態】
以下本発明の実施の形態について説明する。
スラリー状の排泥処理困難土に微細に粉砕された紙オムツを添加及び攪拌することで、微細に粉砕された紙オムツの微細木質繊維が迅速及び均等拡散する。その結果、紙オムツの微細木質繊維が排泥処理困難土中の水分吸収及び微細粒分同士を架橋して小塊状化した細粒化土を得るものである。
【００１１】
低含水率の排泥処理困難土には加水処理を施し、該低含水率の排泥処理困難土をスラリー状とする。
スラリー状とすることの利点は、スラリー状とすることにより土粒子が均一化し、微細に粉砕された紙オムツの微細木質繊維が排泥処理困難土全体に迅速及び均等拡散することである。その結果、紙オムツの微細木質繊維が粘土やシルト等の微細粒分同士を架橋し小塊状化を促進する。小塊状化が促進されることにより、より微細な木質繊維や既に含まれている吸水ポリマーが水分を吸収して細粒化土が得られる。
【００１２】
排泥処理困難土の質によっては、微細に粉砕された紙オムツのみの添加及び攪拌だけでは完全に細粒化されず、表面に水分が滲む状態となる場合がある。例えば、高含水率で既にスラリー状となっているものである。このように細粒化途中段階で停滞状態となった場合には、その後、適宜の量の吸水ポリマーのみを添加及び攪拌することにより、余分な水分を吸収させ、細粒化を完了させることができる。また、前述の通り低含水率の排泥処理困難土は、加水処理後に微細に粉砕された紙オムツを混ぜるが、加水処理の水が過剰であったために細粒化が不完全となった場合にも、同様に適宜の量の吸水ポリマーのみを添加及び攪拌することで細粒化を完了させることができる。
【００１３】
本発明における、添加すべき微細に粉砕した紙オムツの添加量は、排泥処理困難土の粒度分布や含水率等により多様である。最も効果的な添加量は、微細に粉砕された紙オムツについては、排泥処理困難土１ｍ３に対して、約３０ｋｇ程度であり、吸水ポリマーについては、排泥処理困難土１ｍ３に対して約１．０〜１．５ｋｇ程度である。一般的には、微細に粉砕された紙オムツは排泥処理困難土１ｍ３に対して１０〜５０ｋｇであり、吸水ポリマーは排泥処理困難土１ｍ３に対して３ｋｇ未満を使用することで対処可能である。本発明では、従来技術の植物性繊維を添加する方法と比較して、より少量の添加で処理が可能である。
【００１４】
さらに、上記排泥処理方法により得られた細粒化土は、排泥処理後の酸度（ｐＨ）が中性に近く無害であるので、得られた該細粒化土は、植物生育基盤として再利用することも可能である。
【００１５】
本発明において、加水処理により排泥処理困難土をスラリー状とすることの他の利点として、斜面掘削土では、回転網ドラム等と加水を組み合わせれば、土と中小礫との分離が容易に可能となる。また、粘土状土塊は水溶性であるので、加水によりべたつきのない性状とすることが可能である。さらに、高含水率掘削土や浚渫土、脱水ケーキ等においては、従来行われてきた乾燥等の手順を省略することができるので、そのままの性状で処理可能である。
【００１６】
本発明は、有害物質を含有する高含水率の排泥処理困難土の処理においても、微細に粉砕された紙オムツを添加及び攪拌することで排泥処理困難土を細粒化することができる。このような排泥処理困難土が細粒化される過程で有害物質を含有する泥水は吸収されるため、仮置きや運搬等が安全かつ容易となる。例えば、重金属やダイオキシン類等の有害物質を含有する浚渫土等の高含水率の排泥処理困難土に、本発明を適用すると、該排泥処理困難土を細粒化する過程において、該排泥処理困難土に含まれる水分と共に重金属等が吸収されるので、仮置き中に有害物質を含有した泥水の流出を抑制できる。また、該汚染土壌は取扱い等の容易な性状となるので、有害物質除去作業可能施設等への運搬が容易になる。
【００１７】
本発明のさらに別の利用方法は、本発明により斜面掘削土等の排泥処理を行うことである。斜面掘削土等は、その掘削状況から現地植物の種子等が混入したままで掘削されることから、処理後の細粒化土を潜在植物種子混入土として再利用できる。他に細粒化土に土壌改良材を加え、吹付機により圧送可能とすれば、法面緑化等における植物生育基盤材の一部として大量に利用可能となる。その結果、現地発生排泥処理困難土の再利用ができる。以上のように、本発明は建設廃材の再利用という観点からも利用価値が非常に高い。
【００１８】
【実施例】
以下に本発明の実施例について説明する。
【００１９】
粘性土を使用し、微細に粉砕された紙オムツには、主に紙粉、ポリマー少量含有品を使用し、吸水ポリマーには、ＪＴ−６，  Ｌｏｔ  Ｎｏ．Ｒ２０７３５７、サンダイヤポリマー株式会社製を使用した。また、使用機器は、可倒式コンクリートミキサー０．２ｍ３用、台秤２０ｋｇ狭量、コンクリートスランプコーンである。
【００２０】
採取した粘性土２０Ｌを可倒式コンクリートミキサーに投入し、水１６Ｌを添加し、スラリー状又は液状になるまで攪拌する。攪拌しながら微細に粉砕された紙オムツ６００ｇ（３０ｋｇ／ｍ３相当）を添加する。約３分３０秒で浮遊水が消失し、排泥処理困難土表面に水が滲む性状になり、攪拌可能な程度の粘性を維持し、かつミキサー壁に付着しない小塊となった。この場合の、スランプ試験値は２．２ｃｍである。さらに、吸水ポリマーを３０ｇ秤量（１．５ｋｇ／ｍ３相当）し添加すると、約３分で排泥処理困難土表面の滲出水が吸収され細粒化が完了した。
【００２１】
【発明の効果】
本発明は、微細に粉砕された紙オムツを添加及び攪拌してから、細粒化完了までの所要時間がわずか数分と迅速処理可能な方法である。細粒化に要する作業手順も少なく済むので作業効率が高くなる。そのため、あらゆる現場に適応可能である。
【００２２】
本発明は、従来技術のように広大な土地や大規模設備を必要としない。小規模設備で実行可能であるため現場状況に依存しない。
【００２３】
本発明は、産業廃棄物として処分されていた紙オムツに着目し、該紙オムツを再利用することにより環境に対する負荷を軽減する。さらに、排泥処理困難土を再利用可能な性状に改質するため、環境上非常に効果的な排泥処理方法である。
【００２４】
本発明は、従来取扱いや運搬等が困難であった高含水率の排泥処理困難土に微細に粉砕された紙オムツと吸水ポリマーを添加及び攪拌するという非常に簡便な方法である。使用装置は、浚渫土や軟弱地盤ではミキサーのみであるので、ミキサー容量変更のみで種々の規模の現場に適応可能である。
【００２５】
また、本発明では取扱いや運搬等を容易にした排泥処理方法としているが、本発明により得られた細粒化土は無害で中性に近い酸度であることから、土壌改良材を加えることで植物生育基盤材として再利用可能である。この他にも重金属やダイオキシン汚染土壌対策として、重金属やダイオキシンに汚染された河川土壌等を浚渫した際の排泥処理において、有害物質を含有する泥水の流出を抑制する方法として利用可能である。以上の点は、環境上の観点からも本発明の有用な点である。